(57)【要約】第１のモードとは異なる第２のモードによる通信セッションに従事している移動通信手段に、第１のモードによる通信サービスを提供する通信サービス提供方法であって、第１のモードによる通信サービス用の無線リソースの割り当てを示すページングメッセージを送信するステップと、第２のモードによる通信セッションを維持するステップと、第２のモードによる通信セッションが維持される一方で、割り当てられた無線リソースを用いて、当該移動通信手段へのペイロードを含む通信メッセージを送信するステップと、当該第２のモードによる通信セッションを再開するステップとを含む。
2005508578.tif 000002
【特許請求の範囲】
【請求項１】
第１のモードとは異なる第２のモードによる通信セッションに従事している移動通信手段に、該第１のモードによる通信サービスを提供する通信サービス提供方法であって、
前記第１のモードによる通信サービス用の無線リソースの割り当てを示すページングメッセージを送信するステップと、
前記第２のモードによる通信セッションを維持するステップと、
前記第２のモードによる通信セッションを維持する一方で、前記割り当てられた無線リソースを用いて、前記移動通信手段へのペイロードを含む通信メッセージを送信するステップと、
前記第２のモードによる通信セッションを再開するステップと
を含む、通信サービス提供方法。
【請求項２】
上記ページングメッセージは、無線リソースが割り当てられる通信サービスの種別に係る指標を含み、該通信サービスの種別の指標は、音声呼種別および通信メッセージ種別の少なくとも一方とすることができる、請求項１に記載の通信サービス提供方法。
【請求項３】
上記ページングメッセージは、上記通信メッセージ種別の通信サービス用の無線リソースに係る上記割り当てを示す音声ページングメッセージとして提供される、請求項２に記載の通信サービス提供方法。
【請求項４】
上記第２のモードの通信セッションを維持するステップには、
前記第２のモードにおいて、該第２のモードによる通信セッションのデータについて上記移動通信手段へと再送を試行するステップと、
前記第２のモードによる通信セッションの再送データの受信について肯定応答する移動通信手段から応答としての送信肯定応答信号を受信するために、第１の所定時間の間待つステップと、をさらに含み、
前記各ステップは、予め定められた再送回数となるまで、または前記移動通信手段から前記肯定応答信号を受信するまで繰り返し実行される、請求項１ないし請求項３の何れかに記載の通信サービス提供方法。
【請求項５】
上記第２のモードの通信セッションを維持するステップには、
前記第２のモードにおいて、前記移動通信手段（ＭＳ）へと該第２のモードの通信セッションを再確立するための要求の送信を試行するステップと、
前記第２のモードの通信セッションを再確立するための要求の受信について肯定応答する移動通信手段から応答としての再確立肯定応答信号を受信するために、第２の所定時間の間待つステップと、を含み、
前記各ステップは、予め定められた送信回数となるまで、または前記移動通信手段（ＭＳ）から再確立肯定応答信号を受信するまで繰り返し実行される、請求項１ないし請求項４の何れかに記載の通信サービス提供方法。
【請求項６】
請求項１ないし請求項５の何れかに記載の通信サービス提供方法と相互動作する、上記第１のモードによる通信サービスを上記移動通信手段（ＭＳ）で受け入れる通信サービス受け入れ方法であって、該移動通信手段（ＭＳ）は、前記第１のモードとは異なる上記第２のモードによる通信セッションに従事してり、
前記第１のモードによる通信サービス用の無線リソースの割り当てを示すページングメッセージを受信するステップと、
前記第２のモードよる通信セッションを再開可能なように該第２のモードの通信セッションを残存させるステップと、
ペイロード情報を含む通信メッセージを受信するステップと、
前記第２のモードの通信セッションを再開できるように該第２のモードによる通信セッションを再起動させるステップと
を含む、通信サービス受け入れ方法。
【請求項７】
上記ページングメッセージには、無線リソースが割り当てられる通信サービスの種別に係る指標を含み、該通信サービスの種別の指標は音声呼種別および通信メッセージ種別の少なくとも一方とすることができる、請求項６に記載の通信サービス受け入れ方法。
【請求項８】
上記ページングメッセージは、上記通信メッセージ種別の通信サービス用の無線リソースに係る上記割り当てを示す音声ページングメッセージとして提供される、請求項７に記載の通信サービス受け入れ方法。
【請求項９】
上記通信サービス種別の指標が上記通信メッセージ種別の通信サービスを示している場合に、上記第２のモードによる通信セッションを維持するステップと、上記通信メッセージを受信するステップと、前記第２のモードによる通信セッションを再起動するステップとを実行するために、上記ページングメッセージに含まれている上記通信サービス種別の指標を用いて上記通信メッセージを識別するステップをさらに含む、請求項７または請求項８に記載の通信サービス受け入れ方法。
【請求項１０】
上記第２のモードによる通信セッションを残存させるステップには、上記移動通信手段を上記第１のモードへと切り替えるステップが含まれている、請求項６ないし請求項９のいずれかに記載の通信サービス受け入れ方法。
【請求項１１】
上記第２のモードによる通信セッションを再起動させるステップには、上記移動通信手段を該第２のモードへと切り替えるステップが含まれる、請求項６ないし請求項１０のいずれかに記載の通信サービス受け入れ方法。
【請求項１２】
上記第２のモードによる通信セッションを再起動させるステップには、該第２のモードによる通信セッションの再送データを受信するステップと、該再送データの受信に応じて肯定応答信号を送信するステップとを含む、請求項６ないし請求項１１のいずれかに記載の通信サービス受け入れ方法。
【請求項１３】
上記第２のモードによる通信セッションを再起動させるステップには、該第２のモードによる通信セッションの再確立の要求を受信するステップと、該要求の受信に応じて肯定応答信号を送信するステップとを含む、請求項６ないし請求項１２のいずれかに記載の通信サービス受け入れ方法。
【請求項１４】
上記第１のモードは回線交換モードとして提供され、上記第２のモードは、パケット交換モードとして提供され、上記第２のモードによる通信セッションは、パケットデータによる通信セッションとして提供される、請求項１ないし請求項１３のいずれかに記載の方法。
【請求項１５】
上記ページングメッセージにはオペレータ特定情報に係る専用のデータフィールドが含まれ、該オペレータ特定情報に係るフィールドには、上記通信サービス種別の指標が含まれている、請求項１ないし請求項１４のいずれかに記載の方法。
【請求項１６】
第２の種別の交換手段（ＰＭＳＣ）などのセルラー通信ネットワークのネットワークノード要素であって、前記ネットワークノード要素は、請求項１ないし５、１４又は１５のいずれかに記載の通信サービス提供方法を実行するように適合している、ネットワークノード要素。
【請求項１７】
請求項１６に記載のネットワークノード要素を少なくとも一つ含む通信ネットワーク。
【請求項１８】
請求項６ないし請求項１５のいずれかに記載の通信サービス受け入れ方法を実行するように適合した移動通信手段。
【請求項１９】
デジタルの処理装置の内部記憶装置へとロード可能なコンピュータプログラムであって、該コンピュータプログラムが該デジタル処理装置上で実行されると、請求項１ないし１５の何れかに記載の方法の各ステップを制御するように適合したソフトウエアコード部分を含む、コンピュータプログラム。
【請求項２０】
上記コンピュータプログラムは、コンピュータ可読媒体など機械により読み出し可能な媒体に記憶されている、請求項１９に記載のコンピュータプログラム。
【発明の詳細な説明】
【技術分野】
【０００１】
本発明は移動通信の分野に関連する。本発明は、第１のモードによる通信サービスを移動通信手段に提供する通信サービス提供方法に係り、また、本発明は、第１のモードによる通信サービスの受け入れを移動通信手段で実行する通信サービス受け入れ方法に関連する。さらに、本発明は、セルラー通信ネットワークの通信ノード要素に関連し、また、本発明は、通信ネットワークに関連する。そして、本発明は、コンピュータプログラムに関連する。
【背景技術】
【０００２】
上述の方法、ネットワークノード要素、通信ネットワークおよびコンピュータプログラムは、パケット・パーソナル・デジタル・セルラー（ＰＰＤＣ；ときどきパケット・パシフィック・デジタル・セルラーと呼ばれることもある。）規格、およびＲＣＲ ＳＴＤ ２７Ｈと呼ばれる規格に準拠した通信ネットワークから知ることができる。パケット・パーソナル・デジタルセルラ・システムは、パーソナル・デジタル・セルラー（ＰＤＣ；ときおり「パシフィック・デジタル・セルラ」と呼ばれることもある。）による回線交換通信用の移動電話システムへの追加サービスといえよう。
【０００３】
パーソナル・デジタル・セルラー規格による回線交換通信ネットワークの主要な構成要素は、移動サービス交換局（ＭＳＣ）である。移動サービス交換局は、無線ネットワークのリソースに関する運用と管理について担当している。移動サービス交換局は、交換、呼のセットアップ、回線交換の課金、サービスの提供およびその他などの各機能を提供している。また、移動サービス交換局は、移動局宛ての音声呼またはショート・メッセージサービス（ＳＭＳ）のメッセージを受信すると、移動局をページングする機能を実行する。もし移動局が現在パケット状態にある場合も同様に適用可能である。
【０００４】
パケット・パーソナル・デジタル・セルラー規格によるパケットデータサービスは、エンドユーザが接続デバイスとしてパケットデータ移動局を使用することによって、コンテンツプロバイダーのアプリケーションサーバによる提供されるインターネットのような特定のコンテンツと、他のインターネットサービスにアクセスすることを可能にしている。アプリケーションサーバから移動局までのデータ転送はインターネットプロトコルに基づいている。
【０００５】
パケット・パーソナル・デジタル・セルラー・システムには、パケット移動サービス交換局（ＰＭＳＣ）と呼ばれる少なくとも１つのパケット交換ネットワークノードが含まれている。パケット移動サービス交換局は、例えば、アプリケーションサーバと移動局との間でのパケットデータの交換機能を実行する。パケット移動サービス交換局は、エンドツーエンドでのパケットデータセッションの登録をアプリケーションサーバに要求している移動端末に、インターネットプロトコルアドレスを割り当て、登録された移動局へと到着するインターネットプロトコルパケットと当該登録された移動局から送信されるインターネットプロトコルパケットを経路制御して転送する。パケット移動サービス交換局によって提供される機能には、移動局の登録処理および登録抹消処理、モバイルユーザーの認証処理、チャネル再選択手順の制御処理、および経路制御情報の更新処理が含まれる。
【０００６】
ＲＣＲ−ＳＴＤ ２７Ｈ規格によれば、携帯電話のようなパーソナル・デジタル・セルラーの移動局用パケットデータモードが定義されている。本規格では、パケットデータモードで動作中、すなわち、移動局がパケットデータセッションに従事している際の音声呼のページングを定義している。
【０００７】
パケットデータ通信に従事している移動局が、着信呼または着信してきたショート・メッセージサービス（ＳＭＳ）のメッセージを通知されると、移動加入者は、当該着信呼を受け入れるか拒否するかを決定できる。もし加入者が呼を受け入れれば、移動局はトラフィックチャネル上で同期処理を開始する。移動サービス交換局は、同期を確認すると、パケット移動サービス交換局に追加の確認メッセージを送信する。このメッセージを受信すると、パケット移動サービス交換局は、ユーザー・パケット・チャネル（ＵＰＣＨ）上で実行されている現存のパケットデータコネクションをクリアし、トラフィックチャネル上の回線交換接続を介して移動局にその通信サービスを提供する。
【発明の開示】
【発明が解決しようとする課題】
【０００８】
例えば音声などの回線交換接続を確立した後で、いつ、そしてどのようにパケットデータモードへと復帰するかについては不明であった。回線交換接続が、不特定の時間にわたって継続する可能性もあり、したがって、長時間にわたってパケットノードにおけるリソースを使用しないにかかわらず占有してまうおそれがあった。さらに、移動局が遠くに移動してしまっている場合には、プロトコルスタックの再接続はほとんど不可能になってしまうだろう。ゆえに、第１のモードによる通信サービスを受け入れる場合には、第２のモーでの通信セッションは失われてしまうのである。
【０００９】
本発明の根底にある課題は、第２の通信セッションへの少なくとも平均的な破壊的影響を低減できるよう、公知の通信サービス提供方法を改善することである。
【課題を解決するための手段】
【００１０】
本発明の第１の観点によれば、第１のモードとは異なる第２のモードによる通信セッションに従事している移動体通信手段に第１のモードによる通信サービスを提供する通信サービス提供方法であって、第１のモードによる通信サービス用の無線リソースの割り当てを示すページングメッセージを送信するステップと、第２のモードによる通信セッションを維持するステップと、第２のモードによる通信セッションを維持する一方で、割り当てられた無線リソースを用いて、当該移動通信手段へのペイロードを含む通信メッセージを送信するステップと、当該第２のモードによる通信セッションを再開するステップとを含む、通信サービス提供方法によって上記課題が解決される。
【００１１】
第２のモードの通信セッションは、動作中（アクティブ）または非動作中（非アクティブ）のどちらでもよい。もし第２のモードのセッションが動作中ならば、ネットワークと移動局との間でデータパケットが送信される。第２のモードのセッションが非動作中、すなわち、パケット待機（スタンバイ）中であるならば、移動通信手段はネットワークと移動通信手段との間でデータパケットの通信準備ができている、すなわち、移動通信手段がデータパケットの送信および／または受信の準備ができていることになる。無線リソースの割り当てとは、とりわけ、通信用の無線チャンネルが割り当てられることを意味する。第２のモードのセッションを再開するとは、移動体通信手段がこのように継続している第２のモードのセッションへと復帰することを意味する。
【００１２】
本発明が有利なのは、もし、移動通信手段が第２のモードによる通信セッションに従事している際に、第１のモードによる通信サービスをオファーされたならば、当該通信サービスが移動通信手段への通信メッセージの配信を含む限りにおいて、第２のモードによる通信セッションを保持したまま、しかもあとで当該第２のモードによる通信セッションを再開できるように、この第１のモードを受け入れ可能なことである。このように、第１のモードによる通信メッセージを受け入れることによって第２のモードによる通信セッションに対して与えられるいずれかの破壊的な影響を最小限に抑えることができる。
【００１３】
好ましくは、ページングメッセージには、無線リソースが割り当てられる通信サービスの種別の指標を含む。通信サービスの種別は、少なくとも音声呼の種別および通信メッセージの種別のうちの１つとすることができる。ページングメッセージは、第１のモードの通信サービスが提供されていることを示すだけでなく、本発明によれば、提供される第１のモードによる通信サービスの種別、例えば、音声呼の種別や、ショート・メッセージサービス（ＳＭＳ）メッセージまたはマルチメディアメッセージ（ＭＭＳ）のような通信メッセージの種別を示している。この指標により、着信してきた音声呼と通信メッセージとを区別することが可能になり、一般的に、一度提供された通信サービスが受け入れられて終了すると、第２のモードの通信セッションへと復帰することが可能であるかどうかに依存して、当該提供の処理の仕方を決定することが可能になる。なぜなら、示された通信サービスがリソースを長い時間にわたって占有しないからである。とりわけ、通信メッセージを受け入れるための自動的な通信サービス受け入れ方法を実行できる。このように、第１のモードの通信メッセージを受け入れることに起因した第２のモードの通信セッションへのいかなる破壊的影響をも回避することできる。
【００１４】
好ましくは、ページングメッセージが、通信メッセージの送信用の無線リソースの割り当てを示している音声ページングメッセージとして提供される。この方法で、従来規格のページングメッセージを、無線リソースの割り当てを示すために使用することができる。このようにすると、進歩的な本方法を容易に適用できよう。しかも、本発明にしたがって動作するように適合していない移動通信手段を、本発明にしたがって動作するネットワーク内において使用してもよい。規格上のページングメッセージを使用することで、下位互換性を確保できる。すなわち、進歩的なシステムのアップグレードはオプションであって、進歩的な通信サービの種別の指標は無視されてもよいのである。
【００１５】
ある実施形態において、第２のモードの通信セッションを維持するステップには、第２のモードにおいて、第２のモードによる通信セッションのデータについて移動通信手段へと再送を試行するとともに、第２のモードによる通信セッションの再送データの受信について肯定応答（アクノレッジ）する移動通信手段から応答としての送信肯定応答信号を受信するために、第１の所定時間間隔を待つことを、予め定められた再送回数となるまで、または移動通信手段から肯定応答信号を受信するまで、繰り返し実行するステップを含む。ある実施形態において、第２のモードの通信セッションを維持するステップには、第２のモードにおいて、移動通信手段へと第２のモードの通信セッションを再確立するための要求の送信を試行するとともに、第２のモードの通信セッションを再確立するための要求の受信について肯定応答する移動通信手段から応答としての再確立肯定応答信号を受信するために、第２の所定時間間隔を待つことを、予め定められた送信回数となるまで、または移動通信手段から再確立肯定応答信号を受信するまで、繰り返し実行するステップを含む。ゆえに、通信提供方法には、回復方法が含まれる。この回復方法によれば、第２のモードによる通信セッションのデータの再送は、予め定められた回数だけ試行され、もし肯定応答信号が受信されなければ、予め定められた回数になるまで、セッションの再開が要求される。
【００１６】
本発明の第２の観点によれば、移動通信手段において、第１のモードによる通信サービスを受け入れる通信サービス受け入れ方法が提供される。本方法は、とりわけ、進歩的な通信サービス提供方法と相互動作するものであり、移動通信手段は、第１のモードとは異なる第２のモードの通信セッションに従事している。本方法は、第１のモードによる通信サービス用の無線リソースの割り当てを示しているページングメッセージを受信するステップと、セッションが再開可能なように前記第２のモードの通信セッションを残存させるステップと、ペイロード情報を含む通信メッセージを受信するステップと、セッションが再開されるよう前記第２のモードの通信セッションを再起動させるステップとを含む。
【００１７】
第２のモードの通信セッションを再開可能に残存させるステップには、あたかも第２のモードの通信セッションが移動通信手段によってアクティブなまま中断されることがないように、タイマ値、スタックデータあるいはプロトコルコンテクストのようなデータを保持するステップが含まれてもよい。本発明は、とりわけ、第２のモードの通信セッションを破壊するかわりに、最悪でも短時間だけ中断するだけでよいため特に有効である。この中断は、第２のモードの通信セッションが通信メッセージを受信している間、ユーザーの観点からスムーズに継続できるよう通信メッセージを受信するために発生する。
【００１８】
ある実施形態では、ページングメッセージが、無線リソースを割り当てられる通信サービスの種別の指標を含み、通信サービス種別を、少なくとも音声呼の種別および通信メッセージの種別とすることができる。好ましくは、ページングメッセージは、通信メッセージの種別についての通信サービス用の無線リソースの割り当てを示す音声ページングメッセージとして提供される。この方法によれば、規格のページングメッセージを無線リソースの割り当てを示すために適合させることができる。このようにすることで、進歩的な方法を容易に適用することができる。指標情報によって、指標された通信サービスの種別をユーザーに通知することができ、ゆえに、ユーザーは、通信サービスを受け入れるかどうかを決定することができるようになる。このようにユーザーは第２のモードの通信セッションを継続するかどうかを決定することができる。
【００１９】
ある実施形態において、進歩的な通信サービス受け入れ方法は、もし通信サービス種別の指標が通信メッセージの種別についての通信サービスを示している場合には、第２のモードによる通信セッションを残存させるステップと、通信メッセージを受信するステップと、第２のモードによる通信セッションを再開させるステップとを実行するために、ページングメッセージに含まれている通信サービス種別の指標を用いて通信メッセージを識別するステップをさらに含む。この実施形態によれば、通信メッセージの受け入れが特にスムーズに第２のモードによる通信セッションに適合するように、通信メッセージとして提供された通信サービスの自動的な受け入れが可能になる。
【００２０】
第２のモードによる通信セッションを残存させるステップには、第１のモードへと移動通信手段を切り替える処理が含まれる。第２のモードによる通信セッションを復活させるステップには、第２のモードへと移動通信手段を切り換る処理が含まれる。好ましくは、第２のモードによる通信セッションについての再送データを受信処理と、当該データの受信に応じて肯定応答信号を送信する処理が含まれる。このように、第２のモードによる通信セッションの再開が移動通信手段によって示され、当該セッションが再開可能となる。好ましくは、第２のモードによる通信セッションを再開するステップには、当該第２のモードによる通信セッションを再確立するための要求を受信する処理と、当該要求の受信に応じて、肯定応答信号を送信する処理が含まれる。このように、これまでは無駄に再送されていた第２のモードによる通信セッションのデータを成功裡に再送できるよう、第２のモードによる通信セッションを再開するために移動通信手段が準備できていることが示される。
【００２１】
ある実施形態で、第１のモードは回線交換モードとして提供され、第２のモードはパケット交換モードとして提供され、さらに第２のモードの通信セッションはパケットデータ通信セッションとして提供される。通信メッセージは、例えば回線交換メッセージ、ショート・メッセージサービス（ＳＭＳ）のメッセージおよびマルチメディアサービス（ＭＭＳ）などの少なくとも一つのメッセージとして提供可能である。音声呼を利用している間に、パケットデータの通信セッションを維持しつづけるのは都合が悪い。なぜなら、音声呼が不特定の時間にわたり継続してしまうおそれがあるからである。すなわち、音声呼を使用している間にパケットデータ通信セッションを維持しつづけてしまうことで、パケット交換のリソースが占有されているにもかかわらず利用されないため、当該パケット交換のリソースが無駄になっていた。しかしながら、回線交換メッセージの伝送は短い時間で済むため、移動通信手段へと回線交換メッセージを伝送している間に、パケットデータ通信セッションを維持しつづけたとしても、長い時間にわたって不使用のリソースを占有することにはならない。
【００２２】
好ましくは、ページングメッセージには、オペレータの特定情報について専用のデータフィールドが含まれ、当該オペレータの特定情報のフィールドには、前記の通信サービス種別の指標が含まれる。オペレータの特定情報についての専用データフィールドには、オペレータの特定情報の要素が含まれ、当該情報要素は、第１の部分と少なくとも第２の部分とを含むようにフォーマットが決められており、第１の部分にはオペレータの特定情報要素の長さ情報が含まれており、第２の部分には、例えば、ショート・メッセージサービス（ＳＭＳ）のメッセージの如く、ペイロードを示すための通信サービス種別情報が含まれる。
【００２３】
本発明の第３の観点によると、ネットワークノード要素が提供され、とりわけセルラー通信ネットワークの第２の種別の交換手段が提供される。当該ネットワークノード要素は、進歩的な通信サービス提供方法を実行するように適合している。
【００２４】
本発明の第４の観点によると、進歩的なネットワークノード要素の少なくとも一つを含んだ通信ネットワークが提供される。さらに、当該ネットワークは移動通信手段を含む。第２の種別の交換手段は、前記の移動通信手段との第２のモードの通信セッションに従事している。ある実施形態で、移動通信ネットワークは、パーソナル・デジタル・セルラー（ＰＤＣ）ネットワーク、またはパシフィック・デジタル・セルラ・ネットワークと呼ばれるネットワークとして提供される。当該第２のモードの移動通信ネットワークの機能は、パーソナル・パシフィック・デジタル・セルラー（ＰＰＤＣ）標準（またはパケット・パシフィック・デジタル・セルラー標準とも呼ばれている。）にしたがって提供される。
【００２５】
本発明の第５の観点によると、移動通信手段は、進歩的な通信受け入れ方法を実行するのに適合して提供される。とりわけ、移動通信手段は、上述したような通信ネットワークなどのセルラー通信ネットワーク内に配置される。移動通信手段はこのセルラーネットワークの第１の種別の交換手段によって接続可能となっている。移動通信手段は、セルラー通信ネットワークにおける第２の種別の交換手段と第２のモードの通信セッションに従事していてもよい。移動通信手段は、通信ネットワークと通信できるように適合した、例えば、携帯電話機、携帯情報端末（ＰＤＡ）またはラップトップコンピュータとして提供される。移動通信手段は、第１のモードおよび第２のモードの双方で通信することができる。
【００２６】
本発明の第６の観点によると、デジタルの処理装置の内部記憶装置へとロード可能なコンピュータプログラムであって、当該コンピュータプログラムが当該デジタル処理装置上で実行されると、上述の進歩的な方法、とりわけ、進歩的なサービス提供方法の各ステップを制御するようにに適合したソフトウエアコード部分が含まれる。コンピュータプログラムは装置によって読み取り可能な媒体に記憶されている。ある実施形態において、コンピュータプログラムはコンパクトディスク・リードオンリーメモリー（ＣＤ−ＲＯＭ）、フロッピー（登録商標）ディスクや、デジタル多用途ディスク（ＤＶＤ）などの光ディスク、またはハードディスクのようなコンピュータにより読み取り可能な媒体に記憶される。このようにして、制御ソフトウェアは持ち運ぶことができ、簡単な方法でアップグレードすることができる。
【００２７】
本発明は、１９９９年にリリースされた第３世代共同プロジェクト（３ＧＰＰ）だけでなく、その後にリリースされたもの、および一般移動電話通信システム（ＵＭＴＳ）ネットワークで定義されているような全ての通信システムにおいて好ましく使用可能である。さらに本発明は、パーソナル・デジタル・セルラー（ＰＤＣ）およびパケット・パーソナル・デジタル・セルラー（ＰＰＤＣ）だけでなく、移動体のためのグローバルスタンダード（ＧＳＭ）ネットワーク、無線ローカルエリア・アクセスネットワーク（ＷＬＡＮ）、および対応するユーザー装置を含むコア・ネットワークにおいて使用可能である。
【００２８】
以下の詳細な説明と添付図面を参照することによって、本発明のこれらの観点と他の観点をより完全に理解できるであろう。
【発明を実施するための最良の形態】
【００２９】
図１ないし図３は、パケット・パーソナル・デジタル・セルラー（ＰＰＤＣ；ときにはパケット・パシフィック・デジタル・セルラーと呼ばれることもある。）標準規格、また電波産業会（ＡＲＩＢ）の ＲＣＲ ＳＴＤ ２７ 規格のバージョンＨとも呼ばれる規格のシステムに準拠したネットワークＮＷを示している。ネットワークＮＷは、無線ネットワークのリソースについて運用および管理を実行する不図示の移動サービス交換局ＭＳＣを含んでいる。また、移動サービス交換局ＭＳＣは、現在パケット状態にある移動局宛ての音声呼またはショート・メッセージサービス（ＳＭＳ）のメッセージを受信すると移動局をページングする機能を実行する。さらに、ネットワークＮＷは、パケットデータを処理するためのパケット移動サービス交換局ＰＭＳＣ（不図示）を含んでいる。パケット移動サービス交換局ＰＭＳＣは、移動局ＭＳにユーザー・パケット・チャネルＵＰＣＨを、パケットデータセッションの間に提供する。
【００３０】
パケットデータセッションに従事している移動局ＭＳは、音声呼の着信またはショート・メッセージサービス（ＳＭＳ）のメッセージの着信を通知されると、加入者は、移動局ＭＳを使用して着信呼を受理するか拒絶するかを決定することができる。移動加入者が当該呼を受理すると決定した場合、移動局ＭＳは、移動サービス交換局ＭＳＣとの回線交換通信を行なうためにトラフィックチャネルＴＣＨ上で同期処理を開始する。移動サービス交換局ＭＳＣは、同期の捕捉を確認すると、パケット移動サービス交換局ＰＭＳＣに追加の確認メッセージを送信する。このメッセージが受信されると、パケット移動サービス交換局ＰＭＳＣは、ユーザー・パケット・チャネル（ＵＰＣＨ）上で実行されていた既存のパケットデータコネクションをクリアする。そして移動局ＭＳは、トラフィックチャネルＴＣＨ上で回線交換接続を開始する。
【００３１】
より具体的には、移動局ＭＳがパケット状態にある際に、回線交換呼が移動サービス交換局ＭＳＣにおいて受信されると、移動局が在圏しているセルについての情報を得るために、移動サービス交換局ＭＳＣがパケット移動サービス交換局ＰＭＳＣにページング要求（リクエスト）を送信する。パケット移動サービス交換局ＰＭＳＣは、移動サービス交換局ＭＳＣへのページング応答メッセージを返信することによって要求されている情報を伝送する。本発明によれば、移動サービス交換局ＭＳＣが、回線交換呼が音声呼であるのかまたはショート・メッセージサービス（ＳＭＳ）のメッセージであるのかを決定する。以後の例では、移動サービス交換局ＭＳＣがトラフィックチャネルＴＣＨを割り当て、音声ページングメッセージＵＲＣＡと呼ばれるＵＰＣＨ（ユーザー・パケット・チャネル）の無線チャンネル割り当て信号を形成する。当該音声ページングメッセージＵＲＣＡは、ネットワークＮＷのパケット移動サービス交換局ＰＭＳＣを通して、移動局ＭＳに送信される。この例で本発明によれば、移動局ＭＳが、ショート・メッセージサービス（ＳＭＳ）の受信用のトラフィックチャネルを確立するよう移動サービス交換局ＭＳＣに要求すると、パケットデータ通信用に利用されるユーザー・パケット・チャネル（ＵＰＣＨ）が維持される。ショート・メッセージサービス（ＳＭＳ）のメッセージを受信した後で、移動局は、トラフィックチャネルを開放し、ユーザー・パケット・チャネル（ＵＰＣＨ）に復帰し、パケットデータ通信を再開する。
【００３２】
以下は再開メカニズムに関するものである。移動局ＭＳはページングタイプのインジケータを読み出さなければならない。読み出されたインジケータから、移動局ＭＳは、ページングが音声呼かＳＭＳの配信かを演繹的に決定する。すなわち、移動局ＭＳは、ＳＭＳと音声ページングとを区別でき、それにしたがって処理を実行する。例えば、パケットデータセッションを維持し、移動局がパケットデータセッションに復帰できるようにするためには、以下のメカニズムが使用される。レイヤー２（ＬＡＰＤｍ）の回復メカニズムに依存して、すなわち、４回のデータ再送と、４回の再確立が試行される。これは移動局ＭＳに、約１６秒（２つのエスカレーションレベル ＊ ４つのリトライ ＊ ２秒の時間＝１６秒）を与えることになる。移動局ＭＳが、この時間内に復帰すれば、残存していたセッションにピックアップすることができる。このように、ＳＭＳの受信が完了した後で、移動局は、当初のパケットチャネルに復帰し、レイヤー２（ＬＡＰＤｍ）のパケットコネクションを受信する。ネットワークに関しては、一般に、回線交換呼を処理するノードとは異なるノードによってパケットデータ呼が処理される。パケットデータノードは、ページングタイプのインジケータをページングメッセージに含めなければならない。たとえ移動局ＭＳがＳＭＳを受信すべきことを報告されているときであっても、パケットデータノードは、レイヤー２（ＬＡＰＤｍ）が完全にタイムアウトするまで、パケットセッションをアクティブで、かつ存続しているように維持しなければならない。これは移動局が復帰できるようにするためである。タイムアウトの後で、パケットセッションの削除が可能となる。パケットデータノードは、移動局ＭＳがページングの前に残存させておいたパケットセッションの再開を許可する。このように本発明によると、パケットデータユーザーは、例えば、ショート・メッセージサービス（ＳＭＳ）のメッセージの配信のためにパケットデータセッションを失わずに済む。パケットデータセッションはメッセージ受信のためにほんの短い時間だけ中断されるにすぎない。
【００３３】
つぎに図１および図２を参照する。本方法はシグナリングシーケンスによって詳細に示されている。これらのシーケンスで、ネットワーク側または移動局側の動作の部分は丸で囲まれた番号によって示されている。図１および図２において、上から下へと時間軸ｔ／ｓｅｃに沿ってシグナリングシーケンスが進行している。図１および図２に示されたケースでは、回線交換呼はショート・メッセージサービス（ＳＭＳ）のメッセージである。
【００３４】
図１の（１）で、ネットワークＮＷ、より具体的にはパケット移動サービス交換局ＰＭＳＣは、目前のショート・メッセージサービス（ＳＭＳ）のメッセージを示した音声ページングメッセージを提供する。ネットワークＮＷは、ユーザー・パケット・チャネルＵＰＣＨを使用して、音声ページングメッセージを移動局ＭＳに送信する。このページングメッセージは、（２）で受信される。（３）において、移動局ＭＳは、ユーザー・パケット・チャネルＵＰＣＨを残存させ、移動局ＭＳと移動サービス交換局ＭＳＣとの間で確立されたトラフィックチャネルＴＣＨに接続する。（５）において、移動局ＭＳは、ネットワークＮＷからトラフィックチャネルＴＣＨを使用して送信されるショート・メッセージサービス（ＳＭＳ）のメッセージを受信する。（８）において、移動局ＭＳは、トラフィックチャネルＴＣＨを切断し、ユーザー・パケット・チャネルＵＰＣＨへと復帰する。
【００３５】
一方（４）で、ネットワークＮＷのでは、パケット移動サービス交換局ＰＭＳＣは移動局ＭＳを宛先としたデータパケットを受信する。パケット移動サービス交換局ＰＭＳＣは、パケットデータをパケットデータフレーム中に挿入し、移動局ＭＳにユーザー・パケット・チャネルＵＰＣＨ上で、このフレームの送信を試行する。しかしながら、移動局が（３）の前にユーザー・パケット・チャネルＵＰＣＨを残存させている場合は、この試行が失敗し、フレームが移動局に配信されない（図１において"Ｘ  ＜−"として示されている。）。（６）において、パケット移動サービス交換局ＰＭＳＣは、タイムアウトするまで、移動局ＭＳからの受信通知の受信を待つ。図１で示された例では、（４）においてフレームの送信が試行されてから２秒後に、このタイムアウトが生じる。
【００３６】
パケットデータセッションが存続するように保持するために、ネットワークはいわゆるレイヤー２（ＬＡＰＤｍ）回復メカニズムを使用する。この回復メカニズムは、ＲＣＲ−ＳＴＤ ２７ Ｈ規格において説明されており、４回のデータ再送信と４回のセッション再確立を試行するものである。データの再送信とセッションの再確立についての試行は各々２秒に分かれる。全体としては、（３）においてユーザー・パケット・チャネルＵＰＣＨを残存させてから、移動局がこのようにユーザー・パケット・チャネルＵＰＣＨへと復帰し、このチャネル上でのネットワークリクエストに応答し、そしてパケット通信セッションに戻るのに約１６秒を要する。これはショート・メッセージサービス（ＳＭＳ）のメッセージまたはマルチメディアメッセージ（ＭＭＳ）送信に成功するのに通常は十分な時間である。
【００３７】
さらに（６）において、パケット移動サービス交換局ＰＭＳＣは、ユーザー・パケット・チャネルＵＰＣＨ上でデータの再送信を試行することによって、当該セッションの再開をリクエストする。しかしながら、移動局ＭＳが（３）の前にユーザー・パケット・チャネルＵＰＣＨを去っている場合には、この試行が失敗し、データが移動局ＭＳに配信されない（図１において"Ｘ＜−"と示されている。）。（７）において、タイムアウトするまで、移動局ＭＳからの応答が受信されるのをパケット移動サービス交換局ＰＭＳＣは待つ。図１で示された例において、データの再送信が（６）において試行されたあと２秒して、このタイムアウトが生じる。
【００３８】
さらに（７）において、パケット移動サービス交換局ＰＭＳＣは、ユーザー・パケット・チャネルＵＰＣＨ上でデータの再送信を試行することによって、再度、当該セッションの再開をリクエストする。しかしながら、移動局ＭＳが未だにユーザー・パケット・チャネルＵＰＣＨに戻ってきていない場合には、この試行が失敗し、移動局ＭＳにデータが配信されない（図１において"Ｘ＜−"と示されている。）。（９）において、タイムアウトするまで、パケット移動サービス交換局ＰＭＳＣは、移動局ＭＳからの応答が受信されるのを待つ。図１で示された例において、データの再送信が（７）において試行されたあと２秒して、このタイムアウトが生じる。
【００３９】
上述したように、（８）において、移動局ＭＳはトラフィックチャネルＴＣＨから切断して、ユーザー・パケット・チャネルＵＰＣＨへと復帰する。そして（９）において、パケット移動サービス交換局ＰＭＳＣがデータの再送信をユーザー・パケット・チャネルＵＰＣＨ上で４度試行することによって、セッションの再開を要求する。移動局ＭＳがユーザー・パケット・チャネルＵＰＣＨに戻ってきていれば、（１０）において、この試行が成功し、移動局ＭＳにデータが配信される。（１１）において、移動局ＭＳは、再送されたデータ受信を通知するための信号を、ネットワークＮＷのパケット移動サービス交換局ＰＭＳＣに送信する。（１２）において、パケット移動サービス交換局ＰＭＳＣは、この肯定応答信号を受信し、移動サービス交換局ＰＭＳＣは回復メカニズムを停止し、通常の動作に戻る。このようにパケットデータセッションは再送信の試行によって再開される。
【００４０】
図２において図１と同様に（１）でネットワークＮＷは、目前のショート・メッセージサービス（ＳＭＳ）のメッセージを示す音声ページングメッセージを提供する。ネットワークＮＷは、音声ページングメッセージＵＲＣＡを用いて音声ページングメッセージ移動局ＭＳに送信し、このページングメッセージが（２）において受信される。（３）において、移動局ＭＳは、ユーザー・パケット・チャネルＵＰＣＨを残したまま、移動局と移動サービス交換局ＭＳＣとの間で確立されたトラフィックチャネルＴＣＨへと接続する。（５）において、移動局ＭＳは、ネットワークＮＷからトラフィックチャネルＴＣＨを使用して送信されたショート・メッセージサービス（ＳＭＳ）のメッセージを受信する。（１８）において、移動局ＭＳは、トラフィックチャネルＴＣＨを切断して、ユーザー・パケット・チャネルＵＰＣＨへと復帰する。
【００４１】
一方（４）において、ネットワークＮＷの側で、パケット移動サービス交換局ＰＭＳＣは移動局宛てのパケットデータを受信する。パケット移動サービス交換局ＰＭＳＣは、パケットデータをフレームに挿入し、ユーザー・パケット・チャネルＵＰＣＨ上で、移動局ＭＳにこのフレームの送信を試行する。しかしながら、移動局が（３）の前にユーザー・パケット・チャネルＵＰＣＨを残して離れている場合は、この試行が失敗し、フレームが移動局に配信されない（図２において"Ｘ＜−"として示されている。）。（６）において、パケット移動サービス交換局ＰＭＳＣは、タイムアウトするまで、移動局ＭＳからの受信通知の受信を待つ。図２で示された例では、（４）においてフレームの送信が試行されてから２秒後に、このタイムアウトが生じる。
【００４２】
さらに（６）において、パケット移動サービス交換局ＰＭＳＣは、ユーザー・パケット・チャネルＵＰＣＨ上でデータの再送信を試行することによって、当該セッションの再開をリクエストする。しかしながら、移動局ＭＳが（３）の前にユーザー・パケット・チャネルＵＰＣＨを残して離れている場合には、この試行が失敗し、データが移動局ＭＳに配信されない（図２において"Ｘ＜−"と示されている。）。（７）において、パケット移動サービス交換局ＰＭＳＣは、タイムアウトするまで、移動局ＭＳからの応答が受信されるのを待つ。図２で示された例において、データの再送信が（６）において試行されたあと２秒して、このタイムアウトが生じる。
【００４３】
さらに（７）において、ネットワークＮＷのパケット移動サービス交換局ＰＭＳＣは、ユーザー・パケット・チャネルＵＰＣＨ上でデータの再送信を試行することによって、再度、当該セッションの再開をリクエストする。しかしながら、移動局ＭＳが未だにユーザー・パケット・チャネルＵＰＣＨに戻ってきていない場合には、この試行が失敗し、移動局ＭＳにデータが配信されない（図２において"Ｘ＜−"と示されている。）。（１６）において、タイムアウトするまで、パケット移動サービス交換局ＰＭＳＣは、移動局ＭＳからの応答が受信されるのを待つ。図２で示された例において、データの再送信が（７）において試行されたあと２秒して、このタイムアウトが生じる。（４）における１回の送信試行と、２秒間隔の（６）、（７）、（１６）および（１７）の４回の再送試行とがすべて成功せずに実行されることを保証すべく、（１６）および（１７）において、さらに無駄となる再送信の試行が実行される。
【００４４】
上述したように（１８）において、移動局ＭＳはトラフィックチャネルＴＣＨから切断して、ユーザー・パケット・チャネルＵＰＣＨへと復帰する。そして（１９）において、パケット移動サービス交換局ＰＭＳＣが、ユーザー・パケット・チャネルＵＰＣＨ上でのパケットデータセッションの再確立を試行することによって、一回だけ、セッションの再開を要求する。再確立の手順は、データパケットの再送信とパケットデータセッション全体の再確立とに基づいたツーステップの回復メカニズムを段階的に実行する好ましい次のステップである。移動局がユーザー・パケット・チャネルＵＰＣＨに復帰しているため、再確立のためのリクエストが（２０）において受信さる。（２１）において、リクエストに応じ、移動局は、パケット移動サービス交換局ＰＭＳＣに対して再確立の受信を示す肯定応答を送信し、（２２）においてＰＭＳＣがこの肯定応答を受信する。このように、（６）、（７）、（１６）および（１７）の４回の再送信の試行に失敗した後で、（１９）において再確立が試行されることによって、最終的にパケットデータセッションが（２２）において再開される。
【００４５】
音声ページングメッセージＵＲＣＡを受信すると、移動局ＭＳは、完全にパケット通信セッションを破棄してしまうか、それともパケット通信セッションをあとで再開できるように当該セッションを残したまま離れるのかを決定する。移動局ＭＳは、音声ページングメッセージＵＲＣＡに含まれていた情報に基づいてこの決定を実行する。この情報は、音声呼かショート・メッセージサービスＳＭＳのメッセージかを示している。
【００４６】
図３ａを参照すると、図１および図２の進歩的な方法の実施形態による音声ページングメッセージＵＲＣＡのフォーマットを含むテーブルが示されている。音声ページングメッセージＵＲＣＡには、「オペレータの特定情報」と呼ばれるフィールドが含まれている。図３ｂに示されているように、このフィールドには、オペレータの特定情報の長さを示すための情報用の第１のオクテットビットと、音声呼あるいはショート・メッセージサービス（ＳＭＳ）のメッセージなどの回線呼／通信サービスの種別を示すための情報用の第２のオクテットビットとを含んでいる。図３ｃに示されているように、この例では、第２のオクテットのうち第１番目のビットをｈｉｇｈとし、第２番目〜第８番目のビットをｌｏｗとすることで音声呼を表現している。第２のオクテットのうち第２番目のビットをｈｉｇｈとし、第１番目および第３番目〜第８番目のビットをｌｏｗとすることでショート・メッセージサービス（ＳＭＳ）のメッセージを表現している。このように音声ページングメッセージＵＲＣＡ内のオペレータの特定情報を読み出すことで、移動局ＭＳは目前のショート・メッセージサービス（ＳＭＳ）のメッセージについての情報を取得し、この場合は、直ちにユーザー・パケット・チャネルＵＰＣＨから割り当てられたトラフィックチャネルＴＣＨへと切り替える処理を開始する。例えば、ショート・メッセージサービス（ＳＭＳ）のメッセージまたはマルチメディアサービス（ＭＭＳ）のメッセージについてのさらに他の表現方法は、オペレータの特定情報用のフィールドにおける残りのビットを使用することによって実現することができ、全体的なメッセージ構造に少しも影響を与えるこがない。
【００４７】
図３ａ、３ｂおよび３ｃに示されているように、着信呼が音声呼なのかそれともショート・メッセージサービス（ＳＭＳ）の呼であるのかについての情報は、ネットワークＮＷから移動局ＭＳへと送信される標準規格の音声ページングメッセージＵＲＣＡに含まれている。より具体的には、この標準規格のメッセージのオペレータ特定情報フィールドに含まれている。したがって、本発明にしたがってネットワークを運用するに際しても、標準規格についてのアップグレードは不要である。標準のシグナリングシーケンスを示している図４、５および図６、７および図８、９を参照することによりよく理解できるであろう。これらの標準のシグナリングシーケンスとこれらの標準の説明は、電波産業会（ＡＲＩＢ）の標準規格 ＲＣＲ−ＳＴＤ ２７ バージョンＨおよびＩに関連する限りにおいて、ここに参照によって取り込まれているものとする。
【００４８】
図４は、進歩的なページング信号を使用する図１〜図３の実施形態による第１の標準シグナリングシーケンスを示している。より具体的に、図４においてＵＳＥＲとして示されている移動局ＭＳが最初にネットワークＮＷとのパケットデータセッション  （当該セッションは図４において「パケット通信中（アクティブ）と示されている。」）  に従事している際の、ページングシグナリングシーケンスが成功する場合を図４は示している。ここでは、ユーザー・パケット・チャネルＵＰＣＨが使用されている。ページングシグナリングシーケンスには、図４に示されているようなページング種別指標をともなう音声ページング信号ＵＲＣＡ  （図４において「Ｕ１（ＵＰＣＨ無線チャンネル割り当て、−、−）」として示されている。）  が含まれている。とりわけ、この音声ページング信号ＵＲＣＡには、オペレータ特定情報フィールド（図４では不図示）が含まれている。オペレータ特定情報フィールドには、目前の音声呼についての情報が含まれている。移動局ＭＳは、この音声呼を実行することを決定し、音声ページング信号と関連する信号から離れ、ユーザー・パケット・チャネルＵＰＣＨ上でさらなる通信が発生しないように、パケットデータセッションを完全に破棄する。一方、音声呼が確立され、図４において下枠の中に「呼進行中」と示されているように音声呼が最終的にトラフィックチャネルＴＣＨ上で進行中となる。
【００４９】
図５は、進歩的なページング信号を使用する図１〜図３の実施形態による第２の標準シグナリングシーケンスを示している。より具体的に、図５においてＵＳＥＲとして示されている移動局ＭＳは、最初にネットワークＮＷとのパケットデータセッション  （当該セッションは図５において「パケット通信中（アクティブ）と示されている。」）  に従事している際に、ページングシグナリングシーケンスが失敗する場合を図５は示している。ここでは、ユーザー・パケット・チャネルＵＰＣＨが使用されている。ページングシグナリングシーケンスには、図５に示されているようなページング種別指標をともなう音声ページング信号ＵＲＣＡ  （図５において「Ｕ１（ＵＰＣＨ無線チャンネル割り当て、−、−）」  が含まれている。とりわけ、この音声ページング信号ＵＲＣＡには、オペレータ特定情報フィールド（図５では不図示）が含まれている。オペレータ特定情報フィールドには、目前の音声呼についての情報が含まれている。移動局ＭＳは、この音声呼を実行することと、続いて効果的にこの音声呼を拒絶するために当該音声呼を受け入れることを決定する。図５においては「Ｕ１（ＵＰＣＨ音声ページング２レスポンス、−、−）」として矢印によって示されている。続いて、図５において下枠の中に「パケット通信進行中（アクティブ）」と示されているようにパケットデータセッションが継続する。
【００５０】
図６および図７は、進歩的なページング信号が使用される代替的な実施形態におけ第３の標準シグナリングシーケンスを示している。シーケンスの描写は図６から始まって図７へと続いている。図６および図７は、パケット通信中（アクティブ）における音声ページングのためのシーケンスを示している（音声切断方法２：ＵＰＣＨ音声ページング２のメッセージが受信された場合）。すなわち当該シーケンスは、パケット通信（アクティブ）中においてＵＰＣＨの音声チャネル要求メッセージが直接的に受信される場合のものであり、受け入れられる場合のシーケンスと拒絶される場合のシーケンスを示している。より具体的に、図６および部７においてＵＳＥＲとして示されている移動局ＭＳが、最初にネットワークＮＷとのパケットデータセッションに従事している際に、ページングシグナリングシーケンスが成功する場合を図６および図７が示している。ここでは、ユーザー・パケット・チャネルＵＰＣＨが使用されている。ページングシグナリングシーケンスには、図７に示されているようなページング種別指標をともなう音声ページング信号ＵＲＣＡ  （図７において「Ｕ１（ＵＰＣＨ無線チャンネル割り当て、−、−）」と示されている。）  が含まれている。とりわけ、この音声ページング信号ＵＲＣＡには、オペレータ特定情報フィールド（図６および図７では不図示）が含まれている。オペレータ特定情報フィールドには、目前の音声呼についての情報が含まれている。移動局ＭＳは、この音声呼を実行することを決定し、音声ページング信号と関連する信号から離れ、ユーザー・パケット・チャネルＵＰＣＨ上でさらなる通信が発生しないように、パケットデータセッションを完全に破棄する。一方、音声呼が確立され、図７において下枠の中に「呼進行中」と示されているように音声呼が最終的にトラフィックチャネルＴＣＨ上で進行中となる。
【００５１】
図８および図９は、進歩的なページング信号が使用される代替的な実施形態における第４の標準シグナリングシーケンスを示している。シーケンスの描写は図８から始まって図９へと続いている。図８および図９は、パケット通信中（パケット待機）における音声ページングのためのシーケンス（音声ページング方法２）を示している。すなわち当該シーケンスは、パケット通信（パケット待機）中においてＵＰＣＨの音声チャネル要求メッセージが受信される場合のものである。より具体的に、図８および部９においてＵＳＥＲとして示されている移動局ＭＳが、最初にネットワークＮＷとのパケットデータセッションに従事している際に、ページングシグナリングシーケンスが成功する場合を図８および図９は示している。ここでは、ユーザー・パケット・チャネルＵＰＣＨが使用される。しかしながら、このパケットデータセッションは非アクティブ、すなわち、パケット待機モードの状態にある。ページングシグナリングシーケンスには、図９に示されているようなページング種別指標をともなう音声ページング信号ＵＲＣＡ  （図９において「Ｕ１（ＵＰＣＨ無線チャンネル割り当て、−、−）」と示されている。）  が含まれている。とりわけ、この音声ページング信号ＵＲＣＡには、オペレータ特定情報フィールド（図８および図９では不図示）が含まれている。オペレータ特定情報フィールドには、目前の音声呼についての情報が含まれている。移動局ＭＳは、この音声呼を実行することを決定し、音声ページング信号と関連する信号から離れ、ユーザー・パケット・チャネルＵＰＣＨ上でさらなる通信が発生しないように、パケットデータセッションを完全に破棄する。一方、音声呼が確立され、図９において下枠の中に「呼進行中」と示されているように音声呼が最終的にトラフィックチャネルＴＣＨ上で進行中となる。
【図面の簡単な説明】
【００５２】
【図１】図１は、セッションのデータの再送に失敗した後にセッションの再確立を要求する一方で、パケットデータションの再開を実行する進歩的な方法の実施形態における第１の進歩的なシグナリングシーケンスを示す図である。
【図２】図２は、セッションのデータの再送に失敗した後にセッションの再確立を要求する一方で、パケットデータションの再開を実行する図１の進歩的な方法の実施形態における第２の進歩的なシグナリングシーケンスを示す図である。
【図３ａ】、
【図３ｂ】、
【図３ｃ】図３ａ、３ｂおよび３ｃは、図１および図２に示された進歩的な方法の実施形態に従った通信サービスの種別の指標を含むページングメッセージのフォーマットを示す図である。
【図４ａ】、
【図４ｂ】図４ａおよび図４ｂは、進歩的なページング信号が使用される図１ないし図３の実施形態に従った第１の標準シグナリングシーケンスを示した図である。
【図５ａ】、
【図５ｂ】図５ａおよび図５ｂは、進歩的なページング信号が使用される図１ないし図３の実施形態に従った第２の標準シグナリングシーケンスを示した図である。
【図６ａ】、
【図６ｂ】、
【図７ａ】、
【図７ｂ】図６ａ、図６ｂ、図７ａおよび図７ｂは、進歩的なページング信号が使用される図１ないし図３の実施形態に従った第３の標準シグナリングシーケンスを示した図である。
【図８ａ】、
【図８ｂ】、
【図９ａ】、
【図９ｂ】図８ａ、図８ｂ、図９ａおよび図９ｂは、進歩的なページング信号が使用される図１ないし図３の実施形態に従った第４の標準シグナリングシーケンスを示した図である。
【図１】
2005508578.tif 000003
【図２】
2005508578.tif 000004
【図３ａ】
2005508578.tif 000005
【図３ｂ】
2005508578.tif 000006
【図３ｃ】
2005508578.tif 000007
【図４ａ】
2005508578.tif 000008
【図４ｂ】
2005508578.tif 000009
【図５ａ】
2005508578.tif 000010
【図５ｂ】
2005508578.tif 000011
【図６ａ】
2005508578.tif 000012
【図６ｂ】
2005508578.tif 000013
【図７ａ】
2005508578.tif 000014
【図７ｂ】
2005508578.tif 000015
【図８ａ】
2005508578.tif 000016
【図８ｂ】
2005508578.tif 000017
【図９ａ】
2005508578.tif 000018
【図９ｂ】
2005508578.tif 000019
【国際公開パンフレット】
2005508578.tif 000020
2005508578.tif 000021
2005508578.tif 000022
2005508578.tif 000023
2005508578.tif 000024
2005508578.tif 000025
2005508578.tif 000026
2005508578.tif 000027
2005508578.tif 000028
2005508578.tif 000029
2005508578.tif 000030
2005508578.tif 000031
2005508578.tif 000032
2005508578.tif 000033
2005508578.tif 000034
2005508578.tif 000035
2005508578.tif 000036
2005508578.tif 000037
2005508578.tif 000038
2005508578.tif 000039
2005508578.tif 000040
2005508578.tif 000041
2005508578.tif 000042
2005508578.tif 000043
2005508578.tif 000044
2005508578.tif 000045
2005508578.tif 000046
2005508578.tif 000047
2005508578.tif 000048
2005508578.tif 000049
2005508578.tif 000050
2005508578.tif 000051
2005508578.tif 000052
2005508578.tif 000053
2005508578.tif 000054
2005508578.tif 000055
2005508578.tif 000056
2005508578.tif 000057
2005508578.tif 000058
2005508578.tif 000059
2005508578.tif 000060
2005508578.tif 000061
【国際公開パンフレット（コレクトバージョン）】
2005508578.tif 000062
【国際調査報告】
2005508578.tif 000063
2005508578.tif 000064
2005508578.tif 000065